(57)【特許請求の範囲】
【請求項１】
流体を用いた処理を行う機能装置に流体を供給する供給管に対して前記機能装置をバイパスするようにバイパス管が設けられ、当該バイパス管に流れる流体のバイパス流量を調節することによって前記機能装置の状態量（液面）を一定に保持するように前記バイパス流量を設定する流体供給システムであって、
前記バイパス管に並列に設けられると共に最大ＣＶ値が互いに異なる複数のバイパス弁と、
前記バイパス流量あるいは前記バイパス弁の開口度をいずれか一方あるいは両方を前記バイパス管の状態を示すバイパス状態として計測するバイパス状態計測手段と、
流体の供給量に依存して変動する前記機能装置の状態量を計測する状態量計測手段と、
前記バイパス状態計測手段から入力されるバイパス状態及び前記状態量計測手段から入力される前記機能装置の状態量に基づいて当該各バイパス弁の開口度を切り替えることにより前記バイパス流量を設定するバイパス弁制御装置と備え、
前記バイパス弁制御装置は、前記バイパス流量の設定に供するバイパス弁を切り替える際に、切換前後において前記バイパス流量の設定に供するバイパス弁のＣＶ値が等しくなるように切換後の前記バイパス流量の設定に供するバイパス弁の開口度を設定することを特徴とする流体供給システム。
【請求項２】
複数のバイパス弁は、特定の最大ＣＶ値を有する第１のバイパス弁と、当該第１のバイパス弁よりも最大ＣＶ値が大きい第２のバイパス弁とからなり、
バイパス弁制御装置は、第１のバイパス弁の開口度が第１特定開口度に到達するまでは第１のバイパス弁のみを前記バイパス流量の設定に供し、前記機能装置の状態量が下降状態にあり、かつ、第１のバイパス弁の開口度が第１特定開口度に到達すると、前記第１のバイパス弁による単独調整から前記第１のバイパス弁及び前記第２のバイパス弁による共同調整に切り替え、第１のバイパス弁を第１特定開口度から第２特定開口度に固定すると共に、第２のバイパス弁を第３特定開口度に設定し、前記第２特定開口度は、前記第１特定開口度より小さく、さらに、前記第１のバイパス弁の前記第２特定開口度が示すＣＶ値と前記第２のバイパス弁の第３特定開口度が示すＣＶ値との合計ＣＶ値は、前記第１のバイパス弁の第１特定開口度が示すＣＶ値と等しいことを特徴とする請求項１記載の流体供給システム。
【請求項３】
バイパス弁制御装置は、前記機能装置の状態量が上昇状態にあり、かつ、バイパス流量が下降状態用しきい値を下回ると、第１のバイパス弁を第４特定開口度に設定すると共に、第２のバイパス弁を全閉状態に設定し、前記第４特定開口度は、前記第２特定開口度と前記第１特定開口度との間に位置するものであることを特徴とする請求項２記載の流体供給システム。
【請求項４】
前記機能装置は、液化天然ガスのボイルオフガスを凝縮させる凝縮装置であることを特徴とする請求項１〜３のいずれか一項に記載の流体供給システム。
【請求項５】
前記状態量計測手段は、前記凝縮装置においてボイルオフガスが凝縮して得られる液化天然ガスの量を液面レベルとして計測するレベル計であることを特徴とする請求項４記載の流体供給システム。
【発明の詳細な説明】
【技術分野】
【０００１】
本発明は、流体供給システムに関する。
【背景技術】
【０００２】
ＢＯＧ（ボイルオフガス）リコンデサは、ＬＮＧタンク内において自然気化したＢＯＧをＬＮＧの冷熱を利用して再度凝縮（再液化）させる装置である。ＢＯＧリコンデサに供給されるＢＯＧ冷却用のＬＮＧは、ＬＮＧタンクから気化器に直接供給される経路（バイパス経路）を流れるＬＮＧの一部を分流させたものであり、ＢＯＧリコンデサにおけるＢＯＧの処理量（ＬＮＧタンクにおけるＢＯＧ発生量）に応じた流量がＢＯＧリコンデサに供給される。このようなＢＯＧの再液化に関連する従来技術として、例えば下記ＵＲＬに掲載された「ＬＮＧ−ＢＯＧ再液化技術 −ＬＮＧ-ＢＯＧを再液化して安価に昇圧、高圧の都市ガスを製造−」がある。
【先行技術文献】
【非特許文献】
【０００３】
【非特許文献１】http://www.tokyo-gas.co.jp/techno/stp/97a2_j.html
【発明の概要】
【発明が解決しようとする課題】
【０００４】
ところで、上記ＢＯＧリコンデサには、ＢＯＧの再凝縮に供された冷媒としてのＬＮＧ及びＢＯＧが再凝縮したＬＮＧを下部の貯留槽（凝縮ドラム）に一時的に貯留する形態のものがある。このような凝縮ドラムを備えるＢＯＧリコンデサでは、凝縮ドラムにおける貯留ＬＮＧのレベル（液面レベル）は、ＢＯＧの発生量（ＢＯＧリコンデサにおけるＢＯＧ処理量）、つまり冷媒としてＢＯＧリコンデサに供給されるＬＮＧの流量を示すものであり、上述したバイパス経路に設けられると共に最大ＣＶ値の異なる複数のバイパス弁を手動操作することによって調節される。
【０００５】
しかしながら、このような手動によるバイパス弁操作では、ＢＯＧリコンデンサの状態量（液面）を連続的に一定に保持することが困難である。すなわち、バイパス弁の手動操作では、弁切替時においてバイパス経路に供給するＬＮＧの流量が一時的に落ち込んだり、あるいは一時的に突出するようなことが発生し易く、弁切替時におけるバイパス経路へのＬＮＧ供給流量の変動を確実に小さくすることができない。
【０００６】
本発明は、上述した事情に鑑みてなされたものであり、最大ＣＶ値の異なる複数のバイパス弁でＢＯＧリコンデサ等の機能装置の状態量（液面）を一定に保持する際の弁切替時におけるバイパス経路へのＬＮＧ供給流量の変動を確実に小さくすることを目的とする。
【課題を解決するための手段】
【０００７】
上記目的を達成するために、本発明では、第１の解決手段として、流体を用いた処理を行う機能装置に流体を供給する供給管に対して前記機能装置をバイパスするようにバイパス管が設けられ、当該バイパス管に流れる流体のバイパス流量を調節することによって前記機能装置の状態量（液面）を一定に保持するように前記バイパス流量を設定する流体供給システムであって、前記バイパス管に並列に設けられると共に最大ＣＶ値が互いに異なる複数のバイパス弁と、前記バイパス流量あるいは前記バイパス弁の開口度をいずれか一方あるいは両方を前記バイパス管の状態を示すバイパス状態として計測するバイパス状態計測手段と、流体の供給量に依存して変動する前記機能装置の状態量を計測する状態量計測手段と、前記バイパス状態計測手段から入力されるバイパス状態及び前記状態量計測手段から入力される前記機能装置の状態量に基づいて当該各バイパス弁の開口度を切り替えることにより前記供給流量を設定するバイパス弁制御装置と備え、前記バイパス弁制御装置は、前記供給流量の設定に供するバイパス弁を切り替える際に、切換前後において前記供給流量の設定に供するバイパス弁のＣＶ値が等しくなるように切換後の前記供給流量の設定に供するバイパス弁の開口度を設定する、という手段を採用する。
【０００８】
第２の解決手段として、上記第１の解決手段において、複数のバイパス弁は、特定の最大ＣＶ値を有する第１のバイパス弁と、当該第１のバイパス弁よりも最大ＣＶ値が大きい第２のバイパス弁とからなり、バイパス弁制御装置は、第１のバイパス弁の開口度が第１特定開口度に到達するまでは第１のバイパス弁のみを前記供給流量の設定に供し、前記機能装置の状態量が下降状態にあり、かつ、第１のバイパス弁の開口度が第１特定開口度に到達すると、第１のバイパス弁を第２特定開口度に固定すると共に、第２のバイパス弁を第３特定開口度に設定する、という手段を採用する。
【０００９】
第３の解決手段として、上記第２の解決手段において、バイパス弁制御装置は、前記機能装置の状態量が上昇状態にあり、かつ、バイパス流量が下降状態用しきい値を下回ると、第１のバイパス弁を第４特定開口度に設定すると共に、第２のバイパス弁を全閉状態に設定する、という手段を採用する。
【００１０】
第４の解決手段として、上記第１〜第３のいずれかの解決手段において、前記機能装置は、液化天然ガスのボイルオフガスを凝縮させる凝縮装置である、という手段を採用する。
【００１１】
第５の解決手段として、上記第４の解決手段において、前記状態量計測手段は、前記凝縮装置においてボイルオフガスが凝縮して得られる液化天然ガスの量を液面レベルとして計測するレベル計である、という手段を採用する。
【発明の効果】
【００１２】
本発明によれば、バイパス弁制御装置は、供給流量の設定に供するバイパス弁を切り替える際に、切換前後において供給流量の設定に供するバイパス弁のＣＶ値が等しくなるように切換後の供給流量の設定に供するバイパス弁の開口度を設定するので、バイパス弁切替時における供給流量の流量変化を従来の手動操作によるバイパス弁の開口設定に対して確実に小さくすることができる。
【図面の簡単な説明】
【００１３】
【図１】本発明の一実施形態に係るＬＮＧ供給システムＣを備えたＬＮＧ基地Ｓの要部構成を示すシステム構成図である
【図２】本発明の一実施形態に係るＬＮＧ供給システムＣにおけるバイパス弁制御装置６の制御ロジック構成図である。
【図３】本発明の一実施形態に係るＬＮＧ供給システムＣにおける小バイパス弁５ａ及び大バイパス弁５ｂの開口状態を示す第１の状態図（ａ）及び第２の状態図（ｂ）である。
【発明を実施するための形態】
【００１４】
以下、図面を参照して、本発明の一実施形態について説明する。
ＬＮＧ（液化ガス）基地Ｓは、ＬＮＧ船（図示略）から陸揚げされたＬＮＧ（流体）を貯蔵するととともにＬＮＧを気化した天然ガスを火力発電所の燃料あるいは都市ガスとして外部に供給する施設である。ＬＮＧ基地Ｓは、図１に示すように、ＬＮＧタンク１、払出しポンプ２、ＢＯＧ（ボイルオフガス）コンプレッサ３、ＢＯＧリコンデンサ供給管４、ＢＯＧリコンデンサ５、ＢＯＧリコンデンサバイパス管６、バイパス弁制御装置７、昇圧ポンプ８及び気化器９を備えている。
【００１５】
ＬＮＧタンク１は、ＬＮＧ船から陸揚げされたＬＮＧを一時的に貯蔵するための貯留槽であり、ＬＮＧ基地の規模に応じて複数設けられている。払出しポンプ２は、ＬＮＧタンク１に貯蔵されたＬＮＧを払出してＢＯＧリコンデンサ供給管４及びＢＯＧリコンデンサバイパス管６に供給する。ＢＯＧコンプレッサ３は、ＬＮＧタンク１内のＢＯＧ（ボイルオフガス）を圧縮してＢＯＧリコンデンサ５に供給する。ＢＯＧリコンデンサ供給管４は、払出しポンプ２から供給されたＬＮＧを冷却用ＬＮＧとしてＢＯＧリコンデンサ５に供給する配管である。
【００１６】
ＢＯＧリコンデンサ５は、ＢＯＧリコンデンサ供給管４から供給された冷却用ＬＮＧの冷熱を用いてＢＯＧコンプレッサ３から供給されたＢＯＧを再凝縮（再液化）する凝縮装置（機能装置）であり、ＢＯＧコンプレッサ３から供給されたＢＯＧが再液化して得られるＬＮＧ（再液化ＬＮＧ）及びＢＯＧリコンデンサ供給管４から供給された冷却用ＬＮＧを昇圧ポンプ８に排出する。このＢＯＧリコンデンサ５には、下部に再液化ＬＮＧ及び冷却用ＬＮＧの混合ＬＮＧを貯留する凝縮ドラムが備えられており、当該凝縮ドラムにおける再液化ＬＮＧと冷却用ＬＮＧとの混合ＬＮＧの液面レベルを計測するレベル計５ａ（状態量計測手段）が備えられている。
【００１７】
ＢＯＧリコンデンサバイパス管６は、ＢＯＧリコンデンサ５を経由することなく払出しポンプ２から供給されたＬＮＧを昇圧ポンプ８に直接供給するための配管である。以下では、ＢＯＧリコンデンサバイパス管６を単にバイパス管６と言う。バイパス管６は、２つのバイパス弁６ａ，６ｂ（制御弁）及びバイパス流量計６ｃを備えている。
【００１８】
２つのバイパス弁６ａ，６ｂは、並列接続されると共に最大ＣＶ値が互いに異なる。一方のバイパス弁６ａは最大ＣＶ値が小さい方の制御弁（第１のバイパス弁）であり、以下では小バイパス弁６ａと言う。他方のバイパス弁６ｂは最大ＣＶ値が大きい方の制御弁（第２のバイパス弁）であり、以下では大バイパス弁６ｂと言う。なお、ＣＶ値は周知のように制御弁等の弁の開口容量を示す数値であり、また最大ＣＶ値は最大開口度（開口度１００％）におけるＣＶ値である。
【００１９】
バイパス流量計６ｃは、バイパス管６を流れるＬＮＧの流量（バイパス流量）を計測してバイパス弁制御装置７に出力する。なお、このようなバイパス管６はＢＯＧリコンデンサ５を迂回するように払出しポンプ２と昇圧ポンプ８との間に設けられているので、バイパス流量計６ｃが計測するバイパス流量は、払出しポンプ２から吐出されるＬＮＧの流量（総流量）からＢＯＧリコンデンサ５に供給される冷却用ＬＮＧの流量（リコンデンサ流量）を差し引いた量となる。すなわち、バイパス管６に設けられた小バイパス弁６ａ及び大バイパス弁６ｂは、ＢＯＧリコンデンサ５の状態量（液面）を一定に保持するようにバイパス流量を設定するものとなる。
【００２０】
バイパス弁制御装置７は、上記レベル計５ａの計測値（液面レベル）、バイパス流量計６ｃの計測値（バイパス流量）及び現在の小バイパス弁６ａ及び大バイパス弁６ｂの開口状態に基づいて小バイパス弁６ａ及び大バイパス弁６ｂの開口状態を制御する制御装置である。すなわち、このバイパス弁制御装置７は、レベル計５ａの計測値（液面レベル）、バイパス流量計６ｃの計測値（バイパス流量）及び現在の小バイパス弁６ａ及び大バイパス弁６ｂの開口度に基づいて小バイパス弁６ａあるいは大バイパス弁６ｂの開口度を切り替えることにより、ＢＯＧリコンデンサ５の状態量（液面）を一定に保持するようにバイパス流量を調整する。
【００２１】
バイパス弁制御装置７は、図２の制御ロジック構成図に示すように、バイパス弁状態判定部７ａ、液面レベル変化判定部７ｂ、バイパス流量判定部７ｃ、３つのＡＮＤ論理回路７ｄ〜７ｆ、１つのＯＲ論理回路７ｇ及び２つのＲ-Ｓフリップフロップ回路７ｈ，７ｉから構成されている。なお、このロジック構成は、ハードウエアあるいはソフトウエアの何れによって実現しても良い。
【００２２】
バイパス弁状態判定部７ａは、現時点における小バイパス弁６ａの開口度が最大開口度（１００％）に近い第１特定開口度Ｐ1（例えば７０％）に到達しているか否かを判定してＡＮＤ論理回路７ｄに出力するものである。
【００２３】
液面レベル変化判定部７ｂは、レベル計５ａが計測するＢＯＧリコンデンサ５の液面レベルに基づいて、判定１：液面レベルが「下降状態」にあるのか、判定２：液面レベルが「上昇状態」にあるのか、を判定するものである。この液面レベル変化判定部７ｂは、判定１の結果をＡＮＤ論理回路７ｄ，７ｅに出力し、判定２の結果をＡＮＤ論理回路７ｆに出力する。なお、液面レベル変化判定部７ｂは、過去における前後２つの期間におけるレベル計５ａの計測値の平均値の大小を比較することにより判定１及び判定２を行う。
【００２４】
バイパス流量判定部７ｃは、バイパス流量計６ｃが計測するバイパス管６を流れるＬＮＧの流量（バイパス流量）に基づいて、判定３：バイパス流量が予め規定された第１のしきい値Ｒef１よりも小さいか否か、判定４：バイパス流量が予め規定された第２のしきい値Ｒef２（Ｒef１＞Ｒef２）よりも小さいか否か、を判定するものである。このバイパス流量判定部７ｃは、判定３の結果をＡＮＤ論理回路７ｅに出力し、判定４の結果をＡＮＤ論理回路７ｆに出力する。なお、詳細は後述するが、上記第１のしきい値Ｒef１は、液面レベルが下降状態にある際に有効になる下降状態用しきい値であり、一方、第２のしきい値Ｒef２は、液面レベルが上昇状態にある際に有効になる上昇状態用しきい値である。
【００２５】
ＡＮＤ論理回路７ｄは、上記バイパス弁状態判定部７ａの判定結果と液面レベル変化判定部７ｂにおける判定１の判定結果との論理積をとり、当該論理積の結果をＲ-Ｓフリップフロップ回路７ｈのＳ端子（セット端子）に出力する。ＡＮＤ論理回路７ｅは、液面レベル変化判定部７ｂにおける判定１の判定結果とバイパス流量判定部７ｃにおける判定３の判定結果との論理積をとり、当該論理積の結果をＯＲ論理回路７ｇに出力する。
【００２６】
ＡＮＤ論理回路７ｆは、液面レベル変化判定部７ｂにおける判定２の判定結果とバイパス流量判定部７ｃにおける判定４の判定結果との論理積をとり、当該論理積の結果をＯＲ論理回路７ｇに出力する。ＯＲ論理回路７ｇは、ＡＮＤ論理回路７ｅの論理結果とＡＮＤ論理回路７ｆの論理結果との論理和をとり、当該論理和の結果をＲ-Ｓフリップフロップ回路７ｉのＳ端子（セット端子）に出力する。
【００２７】
Ｒ-Ｓフリップフロップ回路７ｈは、ＡＮＤ論理回路７ｄの論理結果がＳ端子に入力され、またＲ-Ｓフリップフロップ回路７ｉの出力がＲ端子（リセット端子）に入力される順序回路であり、自らの出力を制御信号として小バイパス弁６ａに出力する。Ｒ-Ｓフリップフロップ回路７ｉは、ＯＲ論理回路７ｇの論理結果がＳ端子に入力され、またＲ-Ｓフリップフロップ回路７ｈの出力がＲ端子（リセット端子）に入力される順序回路であり、自らの出力を制御信号として大バイパス弁６ｂに出力する。
【００２８】
このようなバイパス弁制御装置７、上述した小バイパス弁６ａ、大バイパス弁６ｂ及びレベル計５ａは、ＢＯＧリコンデンサ５の状態量（液面）を自動調節するＬＮＧ供給システムＣ（流体供給システム）を構成している。このＬＮＧ供給システムＣは、本実施形態において最も特徴的な構成要素である。また、このようなバイパス弁制御装置７（より正確にはバイパス弁状態判定部７ａ）とバイパス流量計６ｃとは、小バイパス弁６ａの開口度及びバイパス管６を流れるＬＮＧの流量（バイパス流量）をバイパス管６の状態を示すバイパス状態として計測するバイパス状態計測手段を構成している。
【００２９】
昇圧ポンプ８は、ＢＯＧリコンデンサ５及びバイパス管６から供給されたＬＮＧを昇圧して気化器９に供給する。気化器９は、昇圧ポンプ８から供給されたＬＮＧを海水等の媒体との熱交換によって気化させて天然ガスとする一種の熱交換器である。気化器９で生成された天然ガスは、火力発電所の燃料あるいは都市ガスとして外部の需要者に供給される。
【００３０】
次に、このように構成されたＬＮＧ基地ＳにおけるＬＮＧ供給システムＣの動作について説明する。
最初に、ＬＮＧ基地ＳにおけるＢＯＧ発生量は季節的な周囲環境温度の変化応じて変動すると共にＬＮＧ船からのＬＮＧ荷役時やＬＮＧタンク１の増設等によっても大幅に変化する。このようなＢＯＧ発生量の変化に対してＢＯＧを効率良く再液化するためには、ＢＯＧ発生量に応じて適切な量の冷却用ＬＮＧをＢＯＧリコンデンサ５に供給する必要がある。すなわち、ＬＮＧタンク１におけるＢＯＧ発生量が多くなれば冷却用ＬＮＧの流量（供給量）は増加し、気化器９への流量が一定の場合、ＢＯＧリコンデンサ５の状態量(液面)を一定に保持するため、バイパス流量を減少させ、一方、ＢＯＧ発生量が少なくなれば冷却用ＬＮＧの流量（供給量）は減少し、同様にＢＯＧリコンデンサ５の状態量(液面)を一定に保持するため、バイパス流量を増加させる必要がある。
【００３１】
例えば、最大ＣＶ値が小さい小バイパス弁６ａによって調節できるＬＮＧの流量（供給量）の調節レンジは、最大ＣＶ値が大きな大バイパス弁６ｂによって調節できるＬＮＧの流量（供給量）の調節レンジよりも小さいので、ＢＯＧ発生量がある量を下回ると、小バイパス弁６ａによってＬＮＧの流量（供給量）を調節することができなくなるので、ＬＮＧの流量（供給量）の調節を小バイパス弁６ａから大バイパス弁６ｂに切り替える必要が生じる。
【００３２】
従来では、この切換を手動操作によって行っていたが、本実施形態に係るＬＮＧ供給システムＣはレベル計５ａの計測値及びバイパス流量計６ｃの計測値等に基づいて自動切り替えする。レベル計５ａで計測されるＢＯＧリコンデンサ５の液面レベルは、ＢＯＧ発生量が多くなれば上昇し、ＢＯＧ発生量が減少すれば下降するので、バイパス弁制御装置７は、このようなＢＯＧリコンデンサ５の液面レベルの変化とバイパス流量計６ｃで計測されるバイパス管６を流れるＬＮＧの流量とに応じて、小バイパス弁６ａ及び大バイパス弁６ｂの開口度を以下のように制御する。
【００３３】
以下では、図２の制御ロジック構成図、図３（ａ）の第１の状態図及び図３（ｂ）の第２の状態図を参照して、バイパス弁制御装置７の動作を説明する。なお、第１の状態図は、バイパス流量の調節を小バイパス弁６ａから大バイパス弁６ｂに切り替える場合の状態図であり、第２の状態図は、バイパス流量の調節を大バイパス弁６ｂから小バイパス弁６ａに切り替える場合の状態図である。
【００３４】
最初に、図３（ａ）の第１の状態図を参照して、バイパス流量の調節を小バイパス弁６ａのみによる単独調節から小バイパス弁６ａと大バイパス弁６ｂとの共同調節に切り替える場合の制御について説明する。
【００３５】
ＢＯＧ発生量が減少してＢＯＧリコンデンサ５の液面レベルが下降傾向にあり、液面レベル変化判定部７ｂにおける判定１の結果が「Ｙｅｓ」であり、かつ、小バイパス弁６ａの開口度が第１特定開口度Ｐ1に到達してバイパス弁状態判定部７ａの判定結果が「Ｙｅｓ」となると、ＡＮＤ論理回路７ｄの出力（論理結果）は「Ｌ（ロー）」から「Ｈ（ハイ）」に遷移する。そして、Ｒ-Ｓフリップフロップ回路７ｈがセット状態、つまりＲ-Ｓフリップフロップ回路７ｈの出力が「Ｈ（ハイ）」状態となる。この結果、小バイパス弁６ａは、開口度が第１特定開口度Ｐ1から比較的小さな第２特定開口度Ｐ2（例えば１５％）まで急激に絞られる。
【００３６】
また、Ｒ-Ｓフリップフロップ回路７ｈの出力はＲ-Ｓフリップフロップ回路７ｉのＲ端子に入力されているので、Ｒ-Ｓフリップフロップ回路７ｈの出力が「Ｈ（ハイ）」状態となることにより、Ｒ-Ｓフリップフロップ回路７ｉがリセット状態、つまりＲ-Ｓフリップフロップ回路７ｉの出力が「Ｌ（ロー）」状態となる。この結果、大バイパス弁６ｂは、全閉状態から第３特定開口度Ｐ3（例えば２５％）まで急激に解放されると共にＢＯＧリコンデンサ５の液面レベルに応じて開口度が調節される状態となる。
【００３７】
すなわち、ＢＯＧリコンデンサ５の液面レベルが下降傾向にあって小バイパス弁６ａの開口度が徐々に大きくなって上限である第１特定開口度Ｐ1に到達する前段階では、小バイパス弁６ａはＢＯＧリコンデンサ５の液面レベルに応じて開口度が制御される。しかしながら、ＢＯＧリコンデンサ５の液面レベルが下降傾向にあって小バイパス弁６ａの開口度が徐々に大きくなって第１特定開口度Ｐ1に到達になると、バイパス流量の調節は、小バイパス弁６ａによる単独調節から小バイパス弁６ａと大バイパス弁６ｂとによる共同調節に切り替わる。
【００３８】
ここで、この切り替え後における小バイパス弁６ａの第２特定開口度Ｐ2が示すＣＶ値と大バイパス弁５ｂの第３特定開口度Ｐ3が示すＣＶ値との合計ＣＶ値は、切換前の小バイパス弁６ａの第１特定開口度Ｐ1が示すＣＶ値と等しい。つまり、バイパス弁制御装置７は、バイパス流量の調節に供する制御弁を小バイパス弁６ａから小バイパス弁６ａ及び大バイパス弁６ｂに切り替える際に、切換後の小バイパス弁６ａ及び大バイパス弁６ｂの合計ＣＶ値が切換前の小バイパス弁６ａのＣＶ値と等しくなるように切換後の小バイパス弁６ａ及び大バイパス弁６ｂの開口度を設定する。したがって、バイパス流量の調節に供する制御弁の切換前後において、ＢＯＧリコンデンサ５の状態量(液面)の変化は殆どない。
【００３９】
また、このような切換後においては、小バイパス弁６ａは第２特定開口度Ｐ２に維持され、一方、大バイパス弁６ｂは、液面レベルの下降に伴って開口度が第３特定開口度Ｐ3から順次大きく調節される。大バイパス弁６ｂは、バイパス流量の最大要求量を十分に満足するように選定されているので、小バイパス弁６ａの開口度を第２特定開口度Ｐ２に固定した状態で、大バイパス弁６ｂの開口度を可変することによって、バイパス流量の要求量に対応することができる。
【００４０】
なお、以上のように、バイパス流量を調節するバイパス弁を切り替える際には、小バイパス弁６ａ及び大バイパス弁６ｂの開口度を急激に変化させるが、この変化率をリミッタによって所望の上限変化率以下に制限することが好ましい。切換時における小バイパス弁６ａ及び大バイパス弁６ｂの開口度の変化率を制限することによって、切換時における小バイパス弁６ａと大バイパス弁６ｂとの開口度の急激な変化に多少の時間的なずれが生じた際に生じるバイパス流量の変動を抑制することができる。
【００４１】
続いて、図３（ｂ）の第２の状態図を参照して、冷却用ＬＮＧの供給量の調節を小バイパス弁６ａと大バイパス弁６ｂとの共同調節から小バイパス弁６ａのみによる単独調節に復帰させる場合の制御について説明する。なお、このような切換制御は、ＢＯＧリコンデンサ５の液面レベルが上昇傾向にあって、バイパス流量の要求量が小バイパス弁６ａによる単独調節によって十分に対応できる程度まで減少した場合に行われる。
【００４２】
ここで、ＢＯＧリコンデンサ５の液面レベルが上昇傾向になると、ＡＮＤ論理回路７ｄ，７ｅの出力（論理結果）は「Ｈ（ハイ）」から「Ｌ（ロー）」に遷移するが、Ｒ-Ｓフリップフロップ回路７ｈの出力は「Ｈ（ハイ）」状態に保持される。したがって、小バイパス弁６ａは第２特定開口度Ｐ2を維持し、また大バイパス弁６ｂはＢＯＧリコンデンサ５の液面レベルに応じた開口度となる。
【００４３】
一方、ＢＯＧリコンデンサ５の液面レベルが上昇傾向になり、かつ、バイパス管６を流れるＬＮＧの流量（バイパス流量）が第２のしきい値Ｒef２よりも小さくなった時点でバイパス流量判定部７ｃにおける判定４の結果が「Ｙｅｓ」となり、ＡＮＤ論理回路７ｆの出力（論理結果）は「Ｌ（ロー）」から「Ｈ（ハイ）」に遷移する。そして、ＯＲ論理回路７ｇの出力は、「Ｌ（ロー）」から「Ｈ（ハイ）」に遷移するので、Ｒ-Ｓフリップフロップ回路７ｉはセット状態、つまり出力が「Ｌ（ロー）」から「Ｈ（ハイ）」となる。
【００４４】
この結果、小バイパス弁６ａは、比較的小さな第２特定開口度Ｐ２から中程度の第４特定開口度Ｐ4（例えば４０％）まで急激に解放されると共に、ＢＯＧリコンデンサ５の液面レベルに応じて開口度が調節される状態となり、一方、大バイパス弁６ｂは、ＢＯＧリコンデンサ５の液面レベルに応じて開口度が調節される状態から全閉状態となる。
【００４５】
すなわち、ＢＯＧリコンデンサ５の液面レベルが上昇傾向になり、かつ、バイパス管６を流れるＬＮＧの流量が第２のしきい値Ｒef２よりも小さくなった時点において、バイパス流量の調節は、小バイパス弁６ａと大バイパス弁６ｂとの共同調節から小バイパス弁６ａのみによる単独調節に切り替えられる。
【００４６】
ここで、バイパス管６を流れるＬＮＧの流量が第２のしきい値Ｒef２よりも小さくなった時点における大バイパス弁６ｂの開口度が示すＣＶ値と小バイパス弁６ａの第１特定開口度Ｐ1が示すＣＶ値との合計ＣＶ値は、小バイパス弁６ａの第４特定開口度Ｐ4が示すＣＶ値と等しい。つまり、バイパス弁制御装置７は、バイパス流量の調節に供する制御弁を小バイパス弁６ａ及び大バイパス弁６ｂから小バイパス弁６ａに切り替える際に、切換後の小バイパス弁６ａのＣＶ値が切換前の小バイパス弁６ａ及び大バイパス弁６ｂの合計ＣＶ値と等しくなるように切換後の小バイパス弁６ａの開口度を設定する。したがって、バイパス流量の調節に供する制御弁の切換前後において、バイパス流量の変化は殆どない。
【００４７】
なお、ＯＲ論理回路７ｇはＡＮＤ論理回路７ｅの出力とＡＮＤ論理回路７ｆの出力（論理結果）との論理和をとるので、ＢＯＧリコンデンサ５の液面レベルが上昇傾向になり、ＡＮＤ論理回路７ｆの出力（論理結果）が「Ｌ（ロー）」から「Ｈ（ハイ）」に遷移しない場合であっても、ＢＯＧリコンデンサ５の液面レベルが下降傾向になり、かつ、バイパス管６を流れるＬＮＧの流量が第１のしきい値Ｒef１よりも小さい状態にある場合には、ＡＮＤ論理回路７ｅの出力（論理結果）が「Ｌ（ロー）」から「Ｈ（ハイ）」になる。そして、ＯＲ論理回路７ｇの出力が「Ｌ（ロー）」から「Ｈ（ハイ）」に遷移し、結果としてＲ-Ｓフリップフロップ回路７ｉがセット状態となるので、ＢＯＧリコンデンサ５に供給される冷却用ＬＮＧの供給量の調節は、小バイパス弁６ａと大バイパス弁６ｂとの共同調節から小バイパス弁６ａのみによる単独調節に切り替えられる。
【００４８】
なお、本発明は上記実施形態に限定されるものではなく、例えば以下のような変形例が考えられる。
（１）上記実施形態では、バイパス管６に設けられた小バイパス弁６ａ及び大バイパス弁６ｂでバイパス流量を調節することによりＢＯＧリコンデンサ５の状態量(液面)を一定に保持するようバイパス流量を設定したが、本発明はこれに限定されない。すなわち、制御対象とする流量はバイパス流量に限定されず、またＬＮＧに限定されるものではない。本発明は、ＢＯＧリコンデンサ供給管４のような供給管に対してバイパス管が設けられる場合において、並列接続されると共に最大ＣＶ値の異なる複数の制御弁の開口度を切り替えてバイパス流量を調節することによりバイパス経路を流れる供給流量を設定するものであれば、如何なる流体供給システムにも適用可能である。
【００４９】
（２）上記実施形態では、バイパス流量（供給量）の調節を小バイパス弁６ａのみによる単独調節から小バイパス弁６ａと大バイパス弁６ｂとの共同調節に切り替えるようにしたが、必要に応じて小バイパス弁６ａのみによる単独調節から大バイパス弁６ｂのみによる単独調節に切り替えても良い。
【００５０】
（３）上記実施形態では、バイパス状態計測手段をバイパス弁制御装置７（より正確にはバイパス弁状態判定部７ａ）とバイパス流量計６ｃとで構成したが、本発明はこれに限定されない。例えば、小バイパス弁６ａの開口度とバイパス管６を流れるＬＮＧの流量（バイパス流量）とは相関関係があるので、バイパス状態計測手段をバイパス弁制御装置７（より正確にはバイパス弁状態判定部７ａ）とバイパス流量計６ｃとのいずれか一方によって構成しても良い。
【００５１】
（４）また、上記実施形態では、２つの制御弁、つまり小バイパス弁６ａ及び大バイパス弁６ｂの開口度を調節したが、制御弁の個数は２個に限定されない。３個以上の制御弁を用いてより広いレンジで本流の流量を調節するようにしても良い。３個以上の制御弁を用いる場合には、当然に図２に示したロジック構成を制御弁の個数に対応したものに変更しなければならない。
【符号の説明】
【００５２】
Ｓ…ＬＮＧ基地、Ｃ…ＬＮＧ供給システム（流体供給システム）、１…ＬＮＧタンク、２…払出しポンプ、３…ＢＯＧコンプレッサ、４…ＢＯＧリコンデンサ供給管、５…ＢＯＧリコンデンサ（機能装置）、５ａ…レベル計（状態量計測手段）、６…ＢＯＧリコンデンサバイパス管、６ａ…小バイパス弁（第１のバイパス弁）、６ｂ…大バイパス弁（第２のバイパス弁）、６ｃ…バイパス流量計、７…バイパス弁制御装置、７ａ…バイパス弁状態判定部、７ｂ…液面レベル変化判定部、７ｃ…バイパス流量判定部、７ｄ〜７ｆ…ＡＮＤ論理回路、７ｇ…ＯＲ論理回路、７ｈ，７ｉ…Ｒ-Ｓフリップフロップ回路、８…昇圧ポンプ、９…気化器
【図１】
0005648401.tif 000002
【図２】
0005648401.tif 000003
【図３】
0005648401.tif 000004